(57)【要約】【課題】  ユーザの負担感を軽減することができる生体情報の測定間隔や時間を指示可能な情報処理装置を提供する。【解決手段】  本発明は、ユーザの健康度合を示す健康度合情報を取得する取得部と、前記取得された健康度合情報に基づき、前記ユーザに対する生体情報測定装置の測定時間及び測定間隔を決定する測定方法決定部と、前記決定された測定時間及び測定間隔により生体情報の測定を指示するコマンドを送信する送信部とを具備する情報処理装置、である。【選択図】図７
2019117612.tif 000002
【特許請求の範囲】
【請求項１】
ユーザの健康度合を示す健康度合情報を取得する取得部と、
前記取得された健康度合情報に基づき、前記ユーザに対する生体情報測定装置の測定時間及び測定間隔を決定する測定方法決定部と、
前記決定された測定時間及び測定間隔により生体情報の測定を指示するコマンドを送信する送信部と
を具備する情報処理装置。
【請求項２】
ユーザの健康状態を示す健康状態情報を受信する受信部をさらに具備し、
前記取得部は、前記受信した健康状態情報に基づいて、前記健康度合情報を取得する、請求項１記載の情報処理装置。
【請求項３】
ユーザの病気の症状を示す症状情報を取得する取得部と、
前記取得された症状情報に基づき、前記ユーザに対する生体情報測定装置の測定時間及び測定間隔を決定する測定方法決定部と、
前記決定された測定時間及び測定間隔により生体情報の測定を指示するコマンドを送信する送信部と
を具備する情報処理装置。
【請求項４】
ユーザの健康状態を示す健康状態情報を受信する受信部をさらに具備し、
前記取得部は、前記受信された健康状態情報に基づいて、前記症状情報を取得する、
請求項３記載の情報処理装置。
【請求項５】
前記コマンドは、前記生体情報測定装置の種別に基づいて生成される、請求項１又は請求項３記載の情報処理装置。
【請求項６】
ユーザの健康度合を示す健康度合情報を取得し、
前記取得された健康度合情報に基づき、前記ユーザに対する生体情報測定装置の測定時間及び測定間隔を決定し、
前記決定された測定時間及び測定間隔により生体情報の測定を指示するコマンドを送信する、
情報処理方法。
【請求項７】
ユーザの病気の症状を示す症状情報を取得し、
前記取得された症状情報に基づき、前記ユーザに対する生体情報測定装置の測定時間及び測定間隔を決定し、
前記決定された測定時間及び測定間隔により生体情報の測定を指示するコマンドを送信する、
情報処理方法。
【請求項８】
コンピュータを請求項１乃至５いずれか１項に記載の前記情報処理装置として動作させるためのプログラム。
【発明の詳細な説明】
【技術分野】
【０００１】
この発明は、生体情報の測定間隔や時間を指示可能な情報処理装置、情報処理方法及びプログラムに関する。
【背景技術】
【０００２】
従来より、血圧測定装置などの生体情報測定装置に、携帯型端末やサーバなどの外部装置から生体情報の測定の指示を与えることにより、生体情報の測定を行なうシステムが広く知られている。
【先行技術文献】
【特許文献】
【０００３】
【特許文献１】特開２００２−１７２０９４号公報
【発明の概要】
【発明が解決しようとする課題】
【０００４】
例えば、生体情報測定装置である血圧測定装置を例によると、血圧測定装置の装着者それぞれの健康状態や症状状態に応じて、リスク層別化に有用な血圧情報（数、種類、時間帯等）が異なる。従来の血圧測定装置では、装着者（ユーザ）の状態を考慮せずに、一定の頻度、時間帯等で血圧測定を行なっていた。
【０００５】
従って、ユーザにとっては有用性の低い血圧情報を得るために測定回数が増えてしまい、血圧測定装置のユーザの負担が増えることがあった。特に、血圧測定装置による測定回数が多いと、カフ膨張による測定対象部位の押圧自体が、ユーザの負担（ストレス）となる。よって、血圧測定装置のユーザにとって有用な血圧情報のみを取得することができれば、ユーザの負担を減らすことができ、有意義である。
また、常時装着タイプの生体情報測定装置では、装着時にユーザに負担感を与えることは、ユーザが当該装置を装着するかを決定する際の大きな問題となるため、ユーザの負担感を軽減することは非常に重要である。
【０００６】
本発明は、上記実情に鑑みてなされたものであり、ユーザの負担感を軽減することができる生体情報の測定間隔や時間を指示可能な情報処理装置、情報処理方法及びプログラムを提供することを目的とする。
【課題を解決するための手段】
【０００７】
上記課題を解決するためにこの発明の第１の態様は、ユーザの健康度合を示す健康度合情報を取得する取得部と、
前記取得された健康度合情報に基づき、前記ユーザに対する生体情報測定装置の測定時間及び測定間隔を決定する測定方法決定部と、
前記決定された測定時間及び測定間隔により生体情報の測定を指示するコマンドを送信する送信部と
を具備する情報処理装置、である。
【０００８】
この発明の第２の態様は、第１の態様の情報処理装置が、ユーザの健康状態を示す健康状態情報を受信する受信部をさらに具備し、
前記取得部は、前記受信した健康状態情報に基づいて、前記健康度合情報を取得する。
【０００９】
この発明の第３の態様は、ユーザの病気の症状を示す症状情報を取得する取得部と、
前記取得された症状情報に基づき、前記ユーザに対する生体情報測定装置の測定時間及び測定間隔を決定する測定方法決定部と、
前記決定された測定時間及び測定間隔により生体情報の測定を指示するコマンドを送信する送信部と
を具備する情報処理装置、である。
【００１０】
この発明の第４の態様は、第３の態様の情報処理装置が、ユーザの健康状態を示す健康状態情報を受信する受信部をさらに具備し、
前記取得部は、前記受信された健康状態情報に基づいて、前記症状情報を取得する。
【００１１】
この発明の第５の態様は、前記コマンドは、前記生体情報測定装置の種別に基づいて生成される。
【発明の効果】
【００１２】
この発明の第１の態様によれば、取得された健康度合情報に基づき、ユーザに対する生体情報測定装置による測定時間及び測定間隔を決定し、決定された測定時間及び測定間隔を含むコマンドを、生体情報測定装置に送信するので、ユーザの健康度合に基づいて、生体情報を適切な測定方法で測定することができる。また、適切な測定方法で生体情報を測定する結果、生体情報測定装置の測定に伴なうユーザの負担感を軽減することができる。
【００１３】
この発明の第２の態様によれば、第１の態様の情報処理装置がユーザの健康状態を示す健康状態情報を受信し、受信した健康状態情報に基づいて、健康度合情報を取得するので、医師等の健康度合の判断の負担を軽減することができる。
【００１４】
この発明の第３の態様によれば、取得された症状情報に基づき、ユーザに対する生体情報測定装置による測定時間及び測定間隔を決定し、決定された測定時間及び測定間隔を含むコマンドを、生体情報測定装置に送信するので、ユーザの症状情報に基づいて、生体情報を適切な測定方法で測定することができる。また、適切な測定方法で生体情報を測定する結果、生体情報測定装置の測定に伴なうユーザの負担感を軽減することができる。
【００１５】
この発明の第４の態様によれば、ユーザの健康状態を示す健康状態情報を受信し、受信された健康状態情報に基づいて、症状情報を決定するので、医師等の症状の判断の負担を軽減することができる。
【００１６】
この発明の第５の態様によれば、コマンドは、生体情報測定装置の種別に基づいて生成されるので、異なる種別の生体情報測定装置であっても、生体情報測定装置の種別に応じた制御内容のコマンドを作成することができる。
【００１７】
すなわち、この発明によれば、ユーザの負担感を軽減することができる生体情報の測定間隔や時間を指示可能な情報処理装置、情報処理方法及びプログラムを提供することができる。
【図面の簡単な説明】
【００１８】
【図１】本発明の第１実施形態に係る血圧測定システムの環境を示す図である。
【図２】腕時計型のウェアラブル端末を示す図である。
【図３】ウェアラブル血圧測定装置２のハードウェア構成を示すブロック図である。
【図４】本発明の実施形態に係る生体情報処理サーバ４の構成を示す図である。
【図５】データベース４３に格納されるユーザ情報５１を説明するための図である。
【図６】健康度合情報と測定方法との関係を示す測定方法決定テーブルＡを示す図である。
【図７】第１実施形態の血圧測定システムの生体情報処理サーバ４における第１動作のフローチャートである。
【図８】第１実施形態の血圧測定システムの携帯型情報処理装置３における第１動作のフローチャートである。
【図９】第１実施形態の血圧測定システムのウェアラブル血圧測定装置２における第１動作のフローチャートである。
【図１０】第１実施形態の血圧測定システムの生体情報処理サーバ４における第２動作のフローチャートである。
【図１１】健康状態情報、健康度合情報及び測定方法の関係が関連付けられているテーブルＢを示す図である。
【図１２】データベース４３に格納されるユーザ情報６１を説明するための図である。
【図１３】ユーザの症状情報と測定方法との関係を示す測定方法決定テーブルＣを示す図である。
【図１４】本発明の第２実施形態の血圧測定システムの生体情報処理サーバ４の動作について説明するためのフローチャートである。
【発明を実施するための形態】
【００１９】
以下、図面を参照してこの発明に係わる実施形態を説明する。  
１  第１実施形態
１−１  構成
１−１−１  血圧測定システムの構成
図１は、本発明の第１実施形態に係る血圧測定システムの環境を示す図である。
【００２０】
同図に示すように、ネットワーク１には、携帯型情報処理装置３が無線によりアクセスポイントを介して接続される。携帯型情報処理装置３とウェアラブル血圧測定装置２とは、例えば、Ｂｌｕｅｔｏｏｔｈ（登録商標）などの近距離無線通信を介して接続されている。
【００２１】
また、ネットワーク１には、生体情報処理サーバ４、医療機関サーバ５、医師端末６及び保険会社サーバ７が接続されている。
【００２２】
第１実施形態では、ウェアラブル血圧測定装置２を例にとり説明するが、生体情報を測定する生体情報測定装置であれば良く血圧測定装置に限られるものではない。生体情報とは、例えば、心拍、脈拍などである。
【００２３】
また、ウェアラブル血圧測定装置２は、血圧を測定する測定対象部位に対しカフなどの押圧部を有する血圧測定装置であり、第１実施形態では、ウェアラブル血圧測定装置２はオシロメトリック法にて血圧を測定するスポット型血圧測定装置を例に説明するが、これに限られるものではない。例えば、ウェアラブル血圧測定装置２は、押圧部を有する連続測定型の血圧測定装置であっても良い。
【００２４】
連続測定型血圧測定装置の連続測定型血圧センサは、脈波伝播時間（ＰＴＴ；pulse transmit time）を測定し、測定した脈波伝播時間からトノメトリ法または他の技法に基づいて血圧を推定する。連続測定型血圧センサにより得られる血圧情報は、例えば、１拍ごとの血圧値（例えば収縮期血圧値および拡張期血圧値）を含み得るが、これに限定されない。連続測定型血圧センサは、ユーザの血圧波形を測定することができ、測定した血圧波形に基づいて血圧値を得ることができ、測定した血圧波形の周期に基づいて心拍数を算出することができる。心拍情報は、例えば、心拍数を含み得るが、これに限定されない。心拍数は、連続測定型血圧センサによる測定に限らず、心拍センサによって測定されてもよい。
【００２５】
ウェアラブル血圧測定装置２は、例えば図２に示される腕時計型のウェアラブル端末であってもよい。このウェアラブル血圧測定装置２は、例えば、今日の日付、現在時刻などの一般的な時計に表示される情報に加えて、ユーザとなる生体の収縮期血圧（Systolic Blood Pressure）、拡張期血圧（Diastolic Blood Pressure）および脈拍数などの生体情報を表示する。ウェアラブル血圧測定装置２は、ユーザの生体情報を例えば一拍ごとに連続測定し、最新の収縮期血圧および拡張期血圧を表示することができる。
【００２６】
携帯型情報処理装置３は、例えば、スマートフォン、タブレットであり、生体情報処理サーバ４から送信される血圧測定時間及び測定間隔を含むコマンドをウェアラブル血圧測定装置２に送信する。また、携帯型情報処理装置３は、ウェアラブル血圧測定装置２により測定された血圧情報などの生体情報を受信し、ネットワーク１を介して、生体情報処理サーバ４、医療機関サーバ５、医師端末６及び保険会社サーバ７に送信する。
【００２７】
生体情報処理サーバ４は、ウェアラブル血圧測定装置２に血圧の測定方法を含むコマンドを送信する処理を行なう第１実施形態に係る処理を行なうサーバであり、その詳細については後述する。
【００２８】
医療機関サーバ５は、ウェアラブル血圧測定装置２のユーザの健康状態情報及び健康状態情報に基づく医師の所見を示す健康度合情報をユーザ毎に格納し、これら健康状態情報及び／又は健康度合情報を生体情報処理サーバ４に送信する。
【００２９】
医師端末６は、医師の端末であり、医療機関サーバ５にアクセス可能であり、ウェアラブル血圧測定装置２から送信されるユーザの生体情報などに基づいて、必要に応じて、医師の指示により、医療機関サーバ５におけるユーザの健康度合情報を更新可能である。
【００３０】
保険会社サーバ７は、ユーザの保険料を管理するサーバであり、ユーザの識別情報と保険料との関係を記憶する。また、保険会社サーバ７は、ウェアラブル血圧測定装置２により測定された血圧情報などの生体情報を受信し、この受信した生体情報に基づいて、ユーザの保険料を変更することが可能である。
１−１−２  ウェアラブル血圧測定装置２の構成
図３は、ウェアラブル血圧測定装置２のハードウェア構成を示すブロック図である。
【００３１】
同図に示すように、ウェアラブル血圧測定装置２には、表示部１３、操作部１６に加えて、血圧測定を実行するための血圧測定要素として、制御部としてのＣＰＵ（Central Processing Unit）１１、記憶部としてのメモリ１２、加速度センサ２１、通信部１４、電池１５、押圧カフ２０の圧力を検出するための圧力センサ１７、ポンプ１９、および、ポンプ１９を駆動するポンプ駆動回路１８が搭載されている。
【００３２】
表示部１３は、この例ではＬＣＤ（Liquid Cristal Display）からなり、ＣＰＵ１１からの制御信号に従って、血圧測定結果などの血圧測定に関する情報、その他の情報を表示する。なお、表示部１３は、ＬＣＤに限られるものではなく、例えば有機ＥＬ（Electro Luminescence）ディスプレイなど、他のタイプの表示部１３からなっていてもよい。また、表示部１３は、ＬＥＤ（Light Emitting Diode）を含んでいてもよい。
【００３３】
操作部１６は、血圧測定の開始または停止を指示するための測定スイッチ、表示部１３の表示画面を予め定められたホーム画面へ戻すためのホームスイッチと、過去の血圧、活動量などの測定記録を表示部１３に表示させる指示を行うための記録呼出スイッチなどを含んでいる。この例では、これらのスイッチはプッシュ式スイッチからなり、ユーザによる血圧測定開始又は停止等の指示に応じた操作信号をＣＰＵ１１に入力する。なお、操作部１６は、プッシュ式スイッチに限られるものではなく、例えば感圧式（抵抗式）または近接式（静電容量式）のタッチパネル式スイッチなどであってもよい。また、図示しないマイクロフォンを備えて、ユーザの音声によって血圧測定開始の指示を入力するようにしてもよい。
【００３４】
メモリ１２は、ウェアラブル血圧測定装置２を制御するためのプログラム、ウェアラブル血圧測定装置２を制御するために用いられるデータ、ウェアラブル血圧測定装置２の各種機能を設定するための設定データ、血圧値の測定結果のデータなどを記憶する。また、メモリ１２は、プログラムが実行されるときのワークメモリなどとして用いられる。
【００３５】
ＣＰＵ１１は、メモリ１２に記憶されたウェアラブル血圧測定装置２を制御するためのプログラムに従って、制御部として各種機能を実行する。例えば、血圧測定機能を実行する場合は、通信部１４を介して外部から受信した測定時間及び測定間隔を含むコマンドを受信した場合に、圧力センサ１７からの信号に基づいて、ポンプ１９を駆動する制御を行う。また、ＣＰＵ１１は、操作部１６の測定スイッチからの血圧測定開始の指示に応じて、圧力センサ１７からの信号に基づいて、ポンプ１９を駆動する制御を行う。
【００３６】
加速度センサ２１は、ウェアラブル血圧測定装置２内に一体に内蔵された３軸加速度センサからなる。この加速度センサ２１は、ウェアラブル血圧測定装置２の、互いに直交する３方向の加速度を表す加速度信号をＣＰＵ１１に出力する。
【００３７】
通信部１４は、ＣＰＵ１１によって制御されて所定の情報を、ネットワーク１を介して外部の装置に送信したり、外部の装置からの情報を、ネットワーク１を介して受信してＣＰＵ１１に受け渡したりする。
【００３８】
電池１５は、この例では、充電可能な２次電池からなっている。電池１５は、ウェアラブル血圧測定装置２に搭載された要素、この例では、ＣＰＵ１１、メモリ１２、加速度センサ２１、通信部１４、圧力センサ１７、ポンプ１９および、ポンプ駆動回路１８の各要素へ電力を供給する。
【００３９】
ポンプ１９は、この例では圧電ポンプからなり、ＣＰＵ１１から与えられる制御信号に基づいてポンプ駆動回路１８によって駆動される。このポンプ１９は、第１の流路を構成する第１の流路形成部材および可撓性チューブを介して、押圧カフ２０に流体流通可能に接続されている。ポンプ１９は、第１の流路形成部材および可撓性チューブを通して、押圧カフ２０に加圧用の流体として空気を供給することができる。なお、このポンプ１９には、ポンプ１９のオン／オフに伴って開閉が制御される図示しない排気弁が搭載されている。すなわち、この排気弁は、ポンプ１９がオンされると閉じて、押圧カフ２０内に空気を封入するのを助ける一方、ポンプ１９がオフされると開いて、押圧カフ２０の空気を可撓性チューブおよび第１の流路形成部材を通して、大気中へ排出させる。なお、この排気弁は、逆止弁の機能を有し、排出される空気が逆流することはない。
【００４０】
圧力センサ１７は、この例ではそれぞれピエゾ抵抗式圧力センサからなっている。圧力センサ１７は、第１の流路を構成する第１の流路形成部材および可撓性チューブを介して、押圧カフ２０内の圧力を検出する。
１−１−３  生体情報処理サーバ４の構成
図４は、本発明の実施形態に係る生体情報処理サーバ４の構成を示す図である。
【００４１】
同図に示すように、生体情報処理サーバ４は、バス３１にＣＰＵ３２、通信部３３、メモリ３４、及び記憶装置３５が接続されている。
【００４２】
ＣＰＵ３２は、記憶装置３５に記憶された本発明の実施形態に係る測定方法決定プログラム４２と協働して、本発明の実施形態に係る測定方法の決定処理を行なう他、生体情報処理サーバ４全体の制御を司るものである。
【００４３】
通信部３３は、ネットワーク１を介した携帯型情報処理装置３などの外部装置との通信の制御を司る。
【００４４】
メモリ３４は、測定方法決定プログラム４２を実行する際に必要とされるワークエリアなどとして使用される。
【００４５】
記憶装置３５は、測定方法決定処理に必要とされるプログラム、データを格納するためのものであり、例えば、ハードディスクドライブ（ＨＤＤ）、ＳＳＤ、光ディスクドライブ、ＤＶＤ、ＭＯなどの大容量記憶装置である。この記憶装置３５には、ＯＳ（オペレーティングシステム）４１、測定方法決定プログラム４２、データベース４３が格納されている。
【００４６】
ＯＳ４１は、生体情報処理サーバ４の基本的な機能を実現するためのプログラムである。
【００４７】
測定方法決定プログラム４２は、本発明の実施形態に係る測定方法決定処理を実現するためのプログラムである。なお、本実施形態の測定方法決定処理は、生体情報処理サーバ４において行なわれるが、全部又は一部を携帯型情報処理装置３又はウェアラブル血圧測定装置２で行なっても良い。
【００４８】
データベース４３は、測定方法決定プログラム４２によって実現される本実施形態の測定方法決定処理において使用される各種データを格納するものである。
【００４９】
図５は、データベース４３に格納されるユーザ情報５１を説明するための図である。
【００５０】
同図に示すように、ユーザ情報５１は、ユーザ識別情報に関連付けて、健康状態情報、健康度合情報、測定方法、血圧測定装置種別情報及び送信タイミングが関連付けて記憶されている。
【００５１】
「健康状態情報」は、健康状態に関する情報、例えば、心拍、脈拍、血圧等の情報であり、実施形態では血圧測定装置２により測定された血圧情報が含まれる。
【００５２】
「健康度合情報」は、健康状態情報に基づいて分類された健康度合を示す情報である。なお、健康度合情報は、ユーザにより変更することが可能であるが、健康度合情報を良い方向の健康度合情報に変更する場合には、医師の許可を得ることを条件に、変更が認められるようにしても良い。
【００５３】
「測定方法」は、生体情報の測定方法であり、実施形態では、血圧測定装置２の測定時間及び測定間隔を含む情報である。
【００５４】
「血圧測定装置種別情報」は、血圧測定装置２の種別を示す情報であり、実施形態ではスポット型血圧測定装置又は連続型血圧測定装置の種別を示す。
【００５５】
「送信タイミング」は、生体情報処理サーバ４から測定時間及び測定間隔を含むコマンドを送信するタイミングを規定する情報であり、コマンド生成時であっても、ユーザにより設定された時間であってもよい。
【００５６】
図５においては、ユーザ情報５１の具体例を示しており、ユーザ識別情報１のユーザは、血圧の「健康状態情報(mmHg)」は収縮期血圧１１０、拡張期血圧７０、「健康度合情報」は良Ａであり、血圧の「測定方法」は１週間に１回測定、時間指定なし、「血圧測定装置種別」はＡ、「送信タイミング」はコマンド生成時であることが示されている。ユーザ識別情報２のユーザは、「健康状態情報(mmHg)」は収縮期血圧１１０、拡張期血圧８５、「健康度合情報」は良Ｂ、「測定方法」は１日に１回測定、時間指定なし、「血圧測定装置種別」はＢ、「送信タイミング」はユーザ設定時間、ユーザ識別情報３のユーザは、「健康状態情報」は収縮期血圧１５０、拡張期血圧８５、「健康度合情報」は悪いＡ、「測定方法」は毎日毎晩測定、「血圧測定装置種別」はＡ、「送信タイミング」はユーザ設定時間、ユーザ識別情報４のユーザは、「健康状態情報」は収縮期血圧１９０、拡張期血圧１２４、「健康度合情報」は悪いＢ、「測定方法」は毎日毎晩及び就寝中測定、「血圧測定装置種別」はＣ、「送信タイミング」はコマンド生成時であることが示されている。
【００５７】
また、データベース４３には実施形態の測定方法を決定するために使用される、図６に示す健康度合情報と測定方法との関係を示す測定方法決定テーブルＡが格納されている。
【００５８】
同図に示すように、ユーザの健康度合が「良Ａ」の場合には、血圧の測定方法は、「１週間に１回測定（＝「測定間隔」に相当。）、時間指定なし（＝「測定時間」に相当）」とされる。この場合、例えば、毎週月曜日の１０時（測定時間の指定がない場合のデフォルトの測定時間）に血圧の測定が行なわれる。
「良Ｂ」の場合には血圧の測定方法は、「１日に１回測定（＝「測定間隔」に相当。）、時間指定なし（＝「測定時間」に相当）」とされる。この場合、例えば、毎日１０時（測定時間の指定がない場合のデフォルトの測定時間）に血圧の測定が行なわれる。
「悪いＡ」の場合には血圧の測定方法は、「毎日測定（＝「測定間隔」に相当。）、朝晩測定（＝「測定時間」に相当）」とされる。この場合、朝晩測定の時間は、例えば、毎日９時と２１時である。
「悪いＢ」の場合には血圧の測定方法は、「毎日測定（＝「測定間隔」に相当。）、朝晩及び就寝中測定（＝「測定時間」に相当）」とされる。この場合、朝晩及び就寝中測定の時間は、例えば、９時、２１時、２５時である。
【００５９】
図６に示すように、健康状態が良好であることが明らかなユーザの場合、そもそもリスクが低いことから、豊富な血圧情報は不要であり、測定間隔を長くすることができる。ここで、リスクとは、脳心血管のイベントの発症リスクを意味する。一方、健康状態が悪いユーザの場合、測定間隔を短くすることにより、詳細な血圧情報に基づいてリスクの分類をすることができる。
【００６０】
次に、第１実施形態に係る血圧測定システムの第１動作について、図７及び図８のフローチャートを参照して説明する。ここにおいて説明する第１動作は、医療機関サーバ５から生体情報処理サーバ４に健康度合情報（良Ａ、良Ｂ、悪いＡ、悪いＢ）が送られてくる場合の動作である。
【００６１】
なお、健康度合情報は、医療機関サーバ５から送られてくる場合に限られない、例えば、ユーザ自身の自己申告により生体情報処理サーバ４に送信しても良いし、医師が医師端末６により生体情報処理サーバ４に送信しても良い。
【００６２】
第１動作は、健康度合情報の良否は、健康診断、人間ドッグなどの結果、又は健康状態の自己申告などの内容に従って、予め定められたガイドライン等に基づき、医師により定められたものである。
１−２  動作
１−２−１  第１動作
次に、本発明の第１実施形態の血圧測定システムの第１動作について、図７乃至図９のフローチャートを参照して説明する。
【００６３】
図７は、第１実施形態の血圧測定システムの生体情報処理サーバ４における第１動作のフローチャートである。図８は、第１実施形態の血圧測定システムの携帯型情報処理装置３における第１動作のフローチャートである。図９は、第１実施形態の血圧測定システムのウェアラブル血圧測定装置２における第１動作のフローチャートである。
【００６４】
まず、図７に示すように、生体情報処理サーバ４は、医療機関サーバ５からユーザの健康度合情報を受信すると（Ｓ１）、この受信した健康度合情報をユーザの識別情報に関連付けてデータベース４３に記憶する（Ｓ２）。
【００６５】
次に、生体情報処理サーバ４は、データベース４３に記憶されたテーブルＡを使用して、受信した健康度合情報から血圧情報の測定時間及び測定間隔を含む測定方法を決定する（Ｓ３）。
【００６６】
Ｓ３において、測定方法が決定された後、生体情報処理サーバ４は決定された測定方法を含み、ウェアラブル血圧測定装置２の種別に応じた測定コマンドを生成する（Ｓ４）。ウェアラブル血圧測定装置２の種別に応じた測定コマンドを生成するのは、ウェアラブル血圧測定装置２の種別に応じて測定コマンドが異なるからである。ウェアラブル血圧測定装置２がスポット型血圧測定装置の場合、ウェアラブル血圧測定装置２は測定時以外には押圧部により測定対象部位に対して押圧をしておらず、測定が必要な場合に押圧を行なうのに対し、連続型血圧測定装置の場合、ウェアラブル血圧測定装置２は常時押圧部により測定対象部位に対して押圧をしており、測定が必要でない場合に限り、押圧を行なわない点で、制御内容が異なる。
【００６７】
次に、生体情報処理サーバ４は、コマンドの送信タイミングか否かの判断を、ユーザ情報５１のユーザ識別情報に関連付けられた送信タイミングに基づいて判断する（Ｓ５）。なお、送信タイミングの判断は必須ではなく、コマンド生成後、リアルタイムに送信しても良い。例えば、コマンドの送信タイミングは、デフォルトの設定として、コマンド生成後リアルタイムに送信されるものとして設定され、後に、ユーザにより設定を変更しても良い。例えば、血圧測定の時間指定のないユーザの場合であって、朝に血圧測定を望む場合、送信タイミングを朝７：００に設定しても良い。
【００６８】
Ｓ５において、コマンドの送信タイミングであると判断された場合、生体情報処理サーバ４は携帯型情報処理装置３にウェアラブル血圧測定装置２に対するコマンドを送信し（Ｓ６）、処理を終了する。
【００６９】
次に、携帯型情報処理装置３の第１動作について、図８のフローチャートを参照して説明する。
【００７０】
同図に示すように、まず、携帯型情報処理装置３は生体情報処理サーバ４からコマンドを受信したか否かの判断を行なう（Ｓ１１）。Ｓ１１において、携帯型情報処理装置３がコマンドを受信したと判断した場合には、携帯型情報処理装置３は受信したコマンドをウェアラブル血圧測定装置２に転送する（Ｓ１２）。一方、Ｓ１１においてコマンドを受信していないと判断された場合、又はＳ１２においてコマンドをウェアラブル血圧測定装置２に転送した後、ウェアラブル血圧測定装置２から測定データを受信したかを判断する（Ｓ１３）。
【００７１】
Ｓ１３において、測定データをウェアラブル血圧測定装置２から受信したと判断した場合、受信した測定データを生体情報処理サーバ４、医療機関サーバ５、医師端末６及び保険会社サーバ７に送信して（Ｓ１４）、処理を終了する。Ｓ１３において、測定データをウェアラブル血圧測定装置２から受信していないと判断された場合には、処理を終了する。
【００７２】
すなわち、実施形態では、携帯型情報処理装置３はウェアラブル血圧測定装置２と生体情報処理サーバ４、医療機関サーバ５、医師端末６及び保険会社サーバ７との間のコマンド及び測定データの仲介的な役割を果たすが、これに限られるものではない。
【００７３】
例えば、携帯型情報処理装置３は測定データを一定期間まとめて受信して（バッファリング）、生体情報処理サーバ４、医療機関サーバ５、医師端末６及び保険会社サーバ７に送信しても良い。また、ユーザ毎に、バッファリング期間を変更しても良い。さらに、バッファリング期間は、ユーザにより設定可能にしても良いし、健康状態情報又は健康度合情報に基づいて決定しても良い。健康状態情報又は健康度合情報を考慮して、バッファリング期間を決定することにより、例えば、健康状態が良くないユーザに対しては、バッファリング期間を短くして、迅速にユーザの状態をフィードバックすることができる。一方、健康状態が良いユーザに対しては、バッファリング期間を長くすることにより、生体情報処理サーバ４、医療機関サーバ５、医師端末６及び保険会社サーバ７に係る通信負荷を低減することができる。
【００７４】
実施形態では、全ての生体情報処理サーバ４、医療機関サーバ５、医師端末６及び保険会社サーバ７に送信する場合について説明するが、全てのサーバ５〜７に送信することは必須ではない。
【００７５】
次に、ウェアラブル血圧測定装置２の第１動作について図９のフローチャートを参照して説明する。
【００７６】
ウェアラブル血圧測定装置２は、携帯型情報処理装置３からコマンドを受信すると（Ｓ２１）、受信したコマンドに含まれる測定時間及び測定間隔に従って、ユーザの血圧情報を測定する（Ｓ２２）。
【００７７】
コマンドに含まれる測定時間及び測定間隔は、ウェアラブル血圧測定装置２のタイマーや加速度センサの値に基づいて判断される。例えば、就寝中の測定がコマンドにより指示された場合には、ウェアラブル血圧測定装置２の加速度センサ２１の値が所定時間変化しない場合には、ユーザが就寝中であると判断され、ユーザの血圧測定が行なわれる。また、就寝時間をユーザにより設定できるようにしても良い。
【００７８】
次に、ウェアラブル血圧測定装置２は、測定結果を携帯型情報処理装置３を介して、生体情報処理サーバ４、医療機関サーバ５、医師端末６及び保険会社サーバ７に送信する（Ｓ２３）。ウェアラブル血圧測定装置２の測定結果の送信のタイミングは、任意に設定される。例えば、健康状態が良くないユーザの場合には、頻繁に測定結果を上記生体情報処理サーバ４、医療機関サーバ５、医師端末６及び保険会社サーバ７に送信する。健康状態が良いユーザの場合には、頻繁に測定結果を送信する必要はないので、測定結果を上記生体情報処理サーバ４、医療機関サーバ５、医師端末６及び保険会社サーバ７に健康状態が悪いユーザよりも長期の間隔で送信する。健康状態の判断は、生体情報処理サーバ４から健康度合情報を取得しても良いし、測定結果に基づいて判断しても良い。また、測定結果の送信のタイミングの制御は、ウェアラブル血圧測定装置２ではなく、携帯型情報処理装置３で行なっても良い。
【００７９】
なお、送信される測定結果の形式については問わない。例えば、ウェアラブル血圧測定装置２からは測定結果がそのまま送信され、携帯型情報処理装置３において、データ圧縮処理を施しても良い。
１−２−２  第２動作
次に、本発明の第１実施形態の血圧測定システムの第２動作について説明する。第２動作が第１動作と異なる点は、医療機関サーバ５から生体情報処理サーバ４に提供される情報が、健康度合情報ではなく、健康状態情報が提供される点にある。
【００８０】
これに伴ない、データベース４３には、図６に示したテーブルＡの代わりに、図１１に示したテーブルＢが格納される。
【００８１】
図１１に示すように、テーブルＢには、健康状態、健康度合及び測定方法の関係が関連付けられている。同図に示すように、ユーザの健康状態が収縮期血圧＜１２０かつ拡張期血圧＜８０である場合には、健康度合が「良Ａ」であり、血圧の測定方法は「１週間に１回測定、時間指定なし」とされる。ユーザの健康状態が収縮期血圧＜１２０-１３９かつ／または拡張期血圧＜８０−８９である場合には、健康度合が「良Ｂ」であり、血圧の測定方法は「１日１回測定、時間指定なし」とされ、ユーザの健康状態が収縮期血圧＜１４０−１７９  かつ／または  拡張期血圧＜１００−１０９である場合には、健康度合が「悪いＡ」であり、血圧の測定方法は「毎日、朝晩測定」とされ、ユーザの健康状態が収縮期血圧≧１８０  かつ／または  拡張期血圧≧１１０である場合には、健康度合が「悪いＢ」であり、血圧の測定方法は「毎日、朝晩及び就寝中測定」とされる。
【００８２】
図１０は、第１実施形態の血圧測定システムの生体情報処理サーバ４における第２動作のフローチャートである。
【００８３】
同図に示すように、生体情報処理サーバ４は、医療機関サーバ５からユーザの健康状態情報（収縮期血圧及び拡張期血圧）を受信すると（Ｓ３１）、この受信した健康状態情報をユーザの識別情報に関連付けてデータベース４３に記憶する（Ｓ３２）。
【００８４】
次に、生体情報処理サーバ４は、データベース４３に記憶されたテーブルＢを使用して、受信した健康度合情報から血圧情報の測定時間及び測定間隔を含む測定方法を決定する（Ｓ３３）。
【００８５】
Ｓ３３以降、図７に示したＳ４〜Ｓ７の処理を行ない、処理を終了する。また、携帯型情報処理装置３及びウェアラブル血圧測定装置２の動作については、図７及び図８において示した動作と同様である。
１−３  効果
従って、第１実施形態の血圧測定システムによれば、ユーザ個々の健康度合情報に応じて、血圧情報の測定時間及び測定間隔を含むコマンドをウェアラブル血圧測定装置２に送信することができるので、血圧測定に伴なうユーザの負担感を低減することができる。例えば、健康状態が良好であることが明らかなユーザの場合、そもそもリスクが低いことから、豊富な血圧情報は不要であり、測定間隔を長くすることができる。一方、健康状態が悪いユーザの場合、測定間隔を短くすることにより、詳細な血圧情報に基づいてリスクの分類をすることができる。
【００８６】
また、生体情報処理サーバ４は、ウェアラブル血圧測定装置２の種別を血圧測定装置種別情報により管理し、血圧測定装置種別情報に基づいて、種別に基づいてコマンドを生成しているので、異なる種別のウェアラブル血圧測定装置２であっても、機種に応じた制御内容のコマンドを作成することができる。
【００８７】
また、ウェアラブル血圧測定装置２は、測定結果の送信タイミングを設定することができるので、測定結果を健康度合に応じたタイミングで各機関に通知することができる。
【００８８】
また、ウェアラブル血圧測定装置２は、携帯型情報処理装置３を介して測定結果を生体情報処理サーバ４、医療機関サーバ５、医師端末６及び保険会社サーバ７に送信する。これにより、医師端末６の医師及び医療機関サーバ５は、測定結果を参照して、健康度合情報を変更することができる。さらに、保険会社サーバ７に測定結果を送信することにより、保険会社サーバ７は、測定結果に基づいて、該当ユーザの保険料を変更することができる。
【００８９】
また、ウェアラブル血圧測定装置２から測定結果がフィードバックされるので、生体情報処理サーバ４は、当該測定結果を参照して、ユーザの健康度合情報をテーブルＢを使用して変更することができる。
【００９０】
さらに、第１実施形態の第２動作によれば、健康状態情報から健康度合情報を生体情報処理サーバ４において取得するので、医師等の健康度合の判断の負担を軽減することができる。
２  第２実施形態
次に、本発明の第２実施形態に係る血圧測定システムについて説明する。第１実施形態では、健康度合情報又は健康状態情報に対応する測定方法を決定する場合について説明したが、第２実施形態では、健康度合情報又は健康状態情報ではなく、ユーザの病気の症状情報に対応する測定方法を決定する。
【００９１】
図１２は、データベース４３に格納されるユーザ情報６１を説明するための図である。
【００９２】
同図に示すように、ユーザ情報６１は、ユーザ識別情報に関連付けて、健康状態情報、症状情報、測定方法、血圧測定装置種別情報及び送信タイミングが関連付けて記憶されている。
【００９３】
同図において、「症状情報」とは、例えば、職場高血圧、睡眠時無呼吸症候群（ＳＡＳ；Sleep Apnea Syndrome）などの症状を示す。
【００９４】
図１２においては、ユーザ情報６１の具体例を示しており、ユーザ識別情報１のユーザは、「健康状態情報(mmHg)」は収縮期血圧１１０、拡張期血圧７０、「症状情報」は職場高血圧であり、血圧の「測定方法」は月-金、勤務時間測定、「血圧測定装置種別」はＡ、「送信タイミング」はコマンド生成時であることが示されている。ユーザ識別情報２のユーザは、「健康状態情報(mmHg)」は収縮期血圧１１０、拡張期血圧８５、「症状情報」はＳＡＳ、「測定方法」は毎日、就寝中測定、「血圧測定装置種別」はＢ、「送信タイミング」はユーザ設定時間であることが示されている。
【００９５】
第２実施形態では、データベース４３には、測定方法決定テーブルＡ、Ｂの代わりに、図１３に示すユーザの症状情報と測定方法との関係を示す測定方法決定テーブルＣが格納されている。
【００９６】
同図に示すように、例えば、ユーザの症状が「職場高血圧」の場合には血圧の測定方法は、「月−金、勤務時間」とされる。ユーザの症状がＳＡＳの場合には血圧の測定方法は、「毎日、就寝中」とされる。
【００９７】
「職場高血圧」は、職場での勤務時間中にストレスにより血圧が高くなる症状であり、ＳＡＳは、睡眠時における無呼吸に起因して血圧が高くなる症状を有し、いずれの症状も特徴が表われる時間に血圧を測定することが有意義であるからである。
【００９８】
次に、本発明の第２実施形態の血圧測定システムの生体情報処理サーバ４の動作について、図１４のフローチャートを参照して説明する。
【００９９】
同図に示すように、生体情報処理サーバ４は、医療機関サーバ５からユーザの症状情報を受信すると（Ｓ４１）、この受信した症状情報をユーザの識別情報に関連付けてデータベース４３に記憶する（Ｓ４２）。
【０１００】
次に、生体情報処理サーバ４は、データベース４３に記憶されたテーブルＣを使用して、症状情報から血圧情報の測定時間及び測定間隔を含む測定方法を決定する（Ｓ４３）。Ｓ４３において、測定方法が決定された後、生体情報処理サーバ４は決定された測定方法を含み、ウェアラブル血圧測定装置２の種別に応じたコマンドを生成する（Ｓ４４）。
【０１０１】
次に、生体情報処理サーバ４は、コマンドの送信タイミングか否かの判断を、ユーザ情報５１のユーザ識別情報に関連付けられた送信タイミングに基づいて判断する（Ｓ４５）。
【０１０２】
Ｓ４５において、コマンドの送信タイミングであると判断された場合、生体情報処理サーバ４は携帯型情報処理装置３にウェアラブル血圧測定装置２に対するコマンドを送信し（Ｓ４６）、処理を終了する。
【０１０３】
ウェアラブル血圧測定装置２及び携帯型情報処理装置３の動作は、第１実施形態と同様である。また、第２実施形態においても、第１実施形態の第２動作と同様に、生体情報処理サーバ４が健康状態情報に基づいて、症状情報を決定するようにしても良い。
【０１０４】
従って、本発明の第２実施形態によれば、ユーザの症状情報に基づいて、血圧の測定方法を決定することができるので、ユーザのウェアラブル血圧測定装置２の装着の負担感を軽減することができる。
【０１０５】
この発明は上記実施形態に限定されるものではない。例えば、第１実施形態の健康度合情報及び第２実施形態の症状情報の両方を使用して測定方法を決定するようにしても良い。この場合、生体情報処理サーバ４は、テーブルＡと、テーブルＣとを適宜組み合わせて使用しても良い。
【０１０６】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１０７】
上記の実施形態の一部又は全部は、以下の付記のようにも記載され得るが、以下には限られるものではない。  
（付記１）
メモリと、
前記メモリに接続されたプロセッサと
を具備する情報処理装置において、
前記プロセッサは、
ユーザの健康度合を示す健康度合情報を取得し、
前記取得された健康度合情報に基づき、前記ユーザに対する生体情報測定装置の測定時間及び測定間隔を決定し、
前記決定された測定時間及び測定間隔により生体情報の測定を指示するコマンドを送信するように構成される、情報処理装置。
【０１０８】
（付記２）
メモリと、
前記メモリに接続されたプロセッサと
を具備する情報処理装置において、
前記プロセッサは、
ユーザの病気の症状を示す症状情報を取得し、
前記取得された症状情報に基づき、前記ユーザに対する生体情報測定装置の測定時間及び測定間隔を決定し、
前記決定された測定時間及び測定間隔により生体情報の測定を指示するコマンドを送信するように構成される、情報処理装置。
【０１０９】
（付記３）
メモリと、
前記メモリに接続されたプロセッサと
を具備する情報処理装置の情報処理方法において、
前記プロセッサは、
ユーザの健康度合を示す健康度合情報を取得し、
前記取得された健康度合情報に基づき、前記ユーザに対する生体情報測定装置の測定時間及び測定間隔を決定し、
前記決定された測定時間及び測定間隔により生体情報の測定を指示するコマンドを送信するように構成される、
情報処理方法。
【０１１０】
（付記４）
メモリと、
前記メモリに接続されたプロセッサと
を具備する情報処理装置の情報処理方法において、
前記プロセッサは、
ユーザの健康度合を示す健康度合情報を取得し、
前記取得された健康度合情報に基づき、前記ユーザに対する生体情報測定装置の測定時間及び測定間隔を決定し、
前記決定された測定時間及び測定間隔により生体情報の測定を指示するコマンドを送信するように構成される、
情報処理方法。
【符号の説明】
【０１１１】
１…ネットワーク、２…ウェアラブル血圧測定装置、３…携帯型情報処理装置、４…生体情報処理サーバ、５…医療機関サーバ、６…医師端末、３２…ＣＰＵ、３３…通信部、３４…メモリ、４２…測定方法決定プログラム。
【図１】
2019117612.tif 000003
【図２】
2019117612.tif 000004
【図３】
2019117612.tif 000005
【図４】
2019117612.tif 000006
【図５】
2019117612.tif 000007
【図６】
2019117612.tif 000008
【図７】
2019117612.tif 000009
【図８】
2019117612.tif 000010
【図９】
2019117612.tif 000011
【図１０】
2019117612.tif 000012
【図１１】
2019117612.tif 000013
【図１２】
2019117612.tif 000014
【図１３】
2019117612.tif 000015
【図１４】
2019117612.tif 000016